(57)【要約】【課題】波長変換シートの変形や吸湿を抑制する。【解決手段】バックライト装置（照明装置）１２は、光を発する発光面１７Ａを有するＬＥＤ（光源）１７と、発光面１７Ａと対向するよう配され、発光面１７Ａから発せられた光に拡散作用を付与する第１拡散板２０と、第１拡散板２０に対してＬＥＤ１７側とは反対側に重なる状態で配され、発光面１７Ａから発せられた光に拡散作用を付与する第２拡散板２１と、発光面１７Ａから発せられた光を波長変換する蛍光体を含む波長変換シート２２であって、第１拡散板２０と第２拡散板２１との間に挟み込まれる波長変換シート２２と、を備える。【選択図】図４
2019046566.tif 000002
【特許請求の範囲】
【請求項１】
光を発する発光面を有する光源と、
前記発光面と対向するよう配され、前記発光面から発せられた光に拡散作用を付与する第１拡散板と、
前記第１拡散板に対して前記光源側とは反対側に重なる状態で配され、前記発光面から発せられた光に拡散作用を付与する第２拡散板と、
前記発光面から発せられた光を波長変換する蛍光体を含む波長変換シートであって、前記第１拡散板と前記第２拡散板との間に挟み込まれる波長変換シートと、を備える照明装置。
【請求項２】
前記第１拡散板は、その板面に沿う第１方向に沿って延在し、前記板面に沿い且つ前記第１方向と直交する第２方向に沿って並んで配される複数の第１シリンドリカルレンズからなる第１レンチキュラーレンズを有する請求項１記載の照明装置。
【請求項３】
前記第２拡散板は、前記第２方向に沿って延在し、前記第１方向に沿って並んで配される複数の第２シリンドリカルレンズからなる第２レンチキュラーレンズを有する請求項２記載の照明装置。
【請求項４】
前記光源に対して前記発光面側とは反対側に配される底部と、前記底部の外端部に連ねられて前記第１拡散板の外端部を支持する拡散板支持部と、を有していて前記光源を収容するシャーシと、
前記第２拡散板の外端部を前記拡散板支持部側とは反対側から押さえる拡散板押さえ部材と、を備えており、
前記波長変換シートは、その外端部が前記拡散板支持部と前記拡散板押さえ部材との間に、前記第１拡散板及び前記第２拡散板の各外端部を介して挟み込まれる請求項１から請求項３のいずれか１項に記載の照明装置。
【請求項５】
前記光源に対して前記発光面側とは反対側に配される底部を有していて前記光源を収容するシャーシと、
前記発光面から発せられた光を前記第１拡散板側へ反射する反射シートであって、前記光源を露出させつつ前記底部を覆う底側反射部と、前記底側反射部から外側に傾斜しつつ前記第１拡散板側に向かって立ち上がる傾斜反射部と、を少なくとも有する反射シートと、
各々が前記発光面から発せられた光と同色、又はその光を構成する各原色光と同色を呈していて少なくとも前記傾斜反射部の表面上に配される複数のドット状の呈色部と、を備える請求項１から請求項４のいずれか１項に記載の照明装置。
【請求項６】
前記呈色部は、前記底側反射部側から外側に向かうにつれて単位面積当たりの密度又は色の濃度が高くなる請求項５記載の照明装置。
【請求項７】
前記光源は、前記発光面から青色光と赤色光とを含むマゼンタ色光を発し、
前記波長変換シートは、前記蛍光体として、前記青色光を緑色光に波長変換する緑色蛍光体を含む請求項１から請求項６のいずれか１項に記載の照明装置。
【請求項８】
請求項１から請求項７のいずれか１項に記載の照明装置と、
前記照明装置から照射される光を利用して画像を表示する表示パネルと、を備える表示装置。
【請求項９】
請求項８記載の表示装置を備えるテレビ受信装置。
【発明の詳細な説明】
【技術分野】
【０００１】
本発明は、照明装置、表示装置及びテレビ受信装置に関する。
【背景技術】
【０００２】
従来の液晶表示装置の一例として、特許文献１に記載のものが挙げられる。この液晶表示装置は、液晶パネルと、いわゆる直下型のバックライト装置（照明装置）を備えている。このバックライト装置は、液晶パネルの真下に複数の光源がマトリクス状に配置された構成を備えており、液晶パネルの背面に向かって面状に広がった白色の光を供給する。バックライト装置は、青色光等を一次光として出射する光源と、光源から離れた状態で配され、一次光の一部を波長変換して他の光（二次光）を放出する波長変換シートとを備えている。バックライト装置では、光源から出射された一次光と、波長変換シートにより波長変換された他の光（二次光）とが加法混色されることで、白色光が生成される。
【０００３】
前記バックライト装置は、波長変換シート以外に、前記光源と離れた状態で配される拡散板等の光学部材を備えている。また、バックライト装置内には、光学部材等で反射されて光源側に戻された光等を反射する反射シートが設けられている。反射シートの中央側は、液晶パネルの画面中央側と対向する形で配され、その周縁側は、液晶パネル側に向かって立ち上がりつつ傾斜した状態で、液晶パネルの画面周縁側と対向している。
【先行技術文献】
【特許文献】
【０００４】
【特許文献１】国際公開第２０１６／１３６７８７号
【発明の概要】
【発明が解決しようとする課題】
【０００５】
上記した特許文献１に記載されたバックライト装置に備わる波長変換シートは、例えば外力が作用すると歪みや皺などの局所的な変形が生じるおそれがあり、また発光に伴って光源などから生じる熱によって伸縮しても同様の局所的な変形が生じるおそれがある。波長変換シートに局所的な変形が生じると、出射光に色ムラなどが生じることが懸念される。また、波長変換シートは、他の光学シートに比べると吸湿し易くなっており、吸湿に伴って波長変換シートに含有される蛍光体（量子ドット蛍光体）が変性してしまい、波長変換性能が劣化することが懸念される。
【０００６】
本発明は上記のような事情に基づいて完成されたものであって、波長変換シートの変形や吸湿を抑制することを目的とする。
【課題を解決するための手段】
【０００７】
本発明の照明装置は、光を発する発光面を有する光源と、前記発光面と対向するよう配され、前記発光面から発せられた光に拡散作用を付与する第１拡散板と、前記第１拡散板に対して前記光源側とは反対側に重なる状態で配され、前記発光面から発せられた光に拡散作用を付与する第２拡散板と、前記発光面から発せられた光を波長変換する蛍光体を含む波長変換シートであって、前記第１拡散板と前記第２拡散板との間に挟み込まれる波長変換シートと、を備える。
【０００８】
このようにすれば、光源の発光面から発せられた光は、第１拡散板を透過する際に少なくとも拡散作用が付与され、その後波長変換シートを透過する際に波長変換され、さらにその後第２拡散板を透過する際に再び少なくとも拡散作用が付与される。波長変換シートは、相対的に高い剛性を有する第１拡散板と第２拡散板との間に挟み込まれているから、外力が作用した場合でも波長変換シートに歪みや皺などの局所的な変形が生じ難くなるとともに、熱膨張や熱収縮に伴う局所的な変形も生じ難くなる。さらには、第１拡散板と第２拡散板との間に挟み込まれた波長変換シートは、外部に露出する面積が極めて小さくなるので、外気に含まれる水分を吸収する事態が生じ難くなる。以上により、波長変換シートの変形や吸湿の発生が好適に抑制される。
【発明の効果】
【０００９】
本発明によれば、波長変換シートの変形や吸湿を抑制することができる。
【図面の簡単な説明】
【００１０】
【図１】本発明の実施形態１に係るテレビ受信装置の概略構成を示す分解斜視図
【図２】液晶表示装置における図１のＡ−Ａ線断面図
【図３】液晶表示装置に備わるバックライト装置の平面図
【図４】図２における液晶表示装置の端部付近を拡大した断面図
【図５】第１拡散板、第２拡散板及び波長変換シートの部分切り欠き斜視図
【図６】本発明の実施形態２に係る第１拡散板、第２拡散板及び波長変換シートの部分切り欠き斜視図
【発明を実施するための形態】
【００１１】
＜実施形態１＞
本発明の実施形態１を図１から図５によって説明する。本実施形態では、液晶表示装置１０について例示する。なお、各図面の一部にはＸ軸、Ｙ軸及びＺ軸を示しており、各軸方向が各図面で示した方向となるように描かれている。また、図２及び図４などに示す上側を表側とし、同図下側を裏側とする。
【００１２】
本実施形態に係るテレビ受信装置１０ＴＶは、図１に示すように、全体として横長の略方形状をなす液晶表示装置１０と、当該液晶表示装置１０を挟むようにして収容する表裏両キャビネット１０Ｃ１，１０Ｃ２と、電源１０Ｐと、テレビ信号を受信するチューナー（受信部）１０Ｔと、スタンド１０Ｓと、を備えて構成される。液晶表示装置１０は、図２に示すように、画像を表示する液晶パネル（表示パネル）１１と、液晶パネル１１に表示のための光を供給するバックライト装置（照明装置）１２と、を備え、これらが枠状のベゼル１３などにより一体的に保持される。
【００１３】
次に、液晶表示装置１０を構成する液晶パネル１１及びバックライト装置１２について順次に説明する。このうち、液晶パネル（表示パネル）１１は、図１に示すように、平面に視て横長な方形状をなしており、一対のガラス基板が所定のギャップを隔てた状態で貼り合わせられるとともに、両ガラス基板間に液晶が封入された構成とされる。一方のガラス基板（アレイ基板、アクティブマトリクス基板）には、互いに直交するソース配線とゲート配線とに接続されたスイッチング素子（例えばＴＦＴ）、そのスイッチング素子に接続された画素電極、さらには配向膜等が設けられ、他方のガラス基板（対向基板、ＣＦ基板）には、Ｒ（赤色），Ｇ（緑色），Ｂ（青色）等の各着色部が所定配列で配置されたカラーフィルタや、液晶パネル１１の周縁に沿って配される枠状の遮光部１１ＬＳ（図２）、さらには配向膜等が設けられている。液晶パネル１１は、図２に示すように、画像を表示可能な表示面１１ＤＳを有しており、その表示面１１ＤＳのうち、枠状の遮光部１１ＬＳより内側の方形の部分が、画像が表示される表示領域ＡＡとなっているのに対し、表示領域ＡＡの外側の枠状の部分（遮光部１１ＬＳと重畳する部分）が、画像が表示されない非表示領域ＮＡＡとなっている。なお、両ガラス基板の外側にはそれぞれ偏光板が配されている。
【００１４】
続いて、バックライト装置１２について詳しく説明する。バックライト装置１２は、図２に示すように、表側（光出射側、液晶パネル１１側）に開口する光出射部１４Ｂを有して略箱型をなすシャーシ１４と、シャーシ１４の光出射部１４Ｂを覆うようにして配される光学部材１５と、シャーシ１４の外縁部に沿って配され光学部材１５の外縁部をシャーシ１４との間で挟んで保持するフレーム（拡散板押さえ部材）１６と、を備える。さらに、シャーシ１４内には、ＬＥＤ（光源）１７と、ＬＥＤ１７が実装されたＬＥＤ基板１８と、シャーシ１４内の光を反射させる反射シート（反射部材）１９と、が備えられる。このように、本実施形態に係るバックライト装置１２は、シャーシ１４内において液晶パネル１１及び光学部材１５の直下位置にＬＥＤ１７が配されてその発光面１７Ａが対向状をなす、いわゆる直下型とされる。以下では、バックライト装置１２の各構成部品について詳しく説明する。
【００１５】
シャーシ１４は、例えばアルミニウム板や電気亜鉛めっき綱板（ＳＥＣＣ）などの金属板からなり、図２及び図３に示すように、液晶パネル１１と同様に横長な方形状（矩形状、長方形状）をなす底板部（底部）１４Ａと、底板部１４Ａの各辺（一対の長辺及び一対の短辺）の外端からそれぞれ表側（光出射側）に向けて立ち上がる側板部（側部）１４Ｃと、各側板部１４Ｃの立ち上がり端から外向きに張り出す受け板部（拡散板支持部）１４Ｄと、受け板部１４Ｄの外端から表側に向けて立ち上がる立板部１４Ｅと、からなり、全体としては表側に向けて開口した浅い略箱型をなしている。シャーシ１４は、その長辺方向がＸ軸方向と一致し、短辺方向がＹ軸方向と一致している。底板部１４Ａは、ＬＥＤ基板１８に対して裏側、つまりＬＥＤ１７に対してその発光面１７Ａ側（光出射側）とは反対側に配されている。各側板部１４Ｃは、底板部１４Ａに対して傾斜状をなしている。各受け板部１４Ｄは、表側から載置される光学部材１５や反射シート１９の外端部を支持可能とされる。各受け板部１４Ｄは、底板部１４Ａの外端部に対して各側板部１４Ｃを介して連ねられている。各立板部１４Ｅは、各受け板部１４Ｄに載置された光学部材１５及び反射シート１９の端面と対向状をなすとともに、後述するフレーム１６が固定されている。
【００１６】
光学部材１５は、液晶パネル１１及びシャーシ１４と同様に平面に視て横長の方形状をなしており、図２に示すように、その外端部が受け板部１４Ｄに載せられることで、シャーシ１４の光出射部１４Ｂを覆うとともに、液晶パネル１１とＬＥＤ１７との間に介在して配される。光学部材１５は、ＬＥＤ１７の発光面１７Ａに対して表側、つまり光出射側に所定の間隔を空けて対向状をなしている。光学部材１５は、相対的に裏側（ＬＥＤ１７側、光出射側とは反対側）に配される第１光学部材１５Ａと、第１光学部材１５Ａに対してフレーム１６を挟んで相対的に表側に配される第２光学部材１５Ｂと、から構成される。第１光学部材１５Ａは、その外端部がシャーシ１４の受け板部１４Ｄに対して表側に重なる形で載置される。第１光学部材１５Ａには、第１拡散板２０と、第２拡散板２１と、波長変換シート２２と、が含まれる。このうち、第１拡散板２０及び第２拡散板２１は、所定の厚みを持つほぼ透明な樹脂製の基材内に拡散粒子を多数分散して設けた構成とされ、透過する光を拡散させる機能を有する。なお、これら第１拡散板２０、第２拡散板２１及び波長変換シート２２に関しては、後に改めて詳しく説明する。
【００１７】
第２光学部材１５Ｂは、その外端部がフレーム１６に対して表側に重なる形で載置されており、第１光学部材１５Ａとの間にフレーム１６の厚み分の間隔が空けられている。第２光学部材１５Ｂは、プリズムシート（レンズシート）２３と、プリズムシート２３の表側に重ねられる反射型偏光シート２４と、から構成される。プリズムシート２３は、シート状の基材と、基材の表側の表面に設けられるプリズム部とからなる。プリズム部は、長辺方向（Ｘ軸方向）に沿って延びつつ、短辺方向（Ｙ軸方向）に並ぶ複数の単位プリズムから構成されている。プリズムシート２３は、このようなプリズム部を備えることにより、第１光学部材１５Ａ側からの光に、単位プリズムの並び方向（Ｙ軸方向）について選択的に集光作用（異方性集光作用）を付与できる。反射型偏光シート２４は、反射型偏光フィルムと、反射型偏光フィルムを表裏から挟み込む一対の拡散フィルムとからなる。反射型偏光フィルムは、例えば、屈折率の互いに異なる層を交互に積層した多層構造からなり、プリズムシート２３からの光のうち、ｐ波を透過させ、ｓ波を裏側へ反射させる。反射型偏光フィルムによって反射されたｓ波は、後述する反射シート１９等によって、再度表側に反射され、その際に、ｓ波とｐ波に分離する。このように、反射型偏光シート２４は、反射型偏光フィルムを備えることで、本来ならば、液晶パネル１１の偏光板によって吸収されるｓ波を、裏側（反射シート１９側）へ反射させることで有効活用することができ、光の利用効率（輝度）を高めることができる。一対の拡散フィルムは、ポリカーボネート樹脂等の透明な合成樹脂材料からなり、反射型偏光フィルム側とは反対側の表面に、光に拡散作用を付与するためのエンボス加工が施されている。
【００１８】
フレーム１６は、合成樹脂からなり、光反射性を有するように白色塗装されており、図２に示すように、全体として液晶パネル１１及び光学部材１５の外周縁部に沿う枠状をなしている。フレーム１６は、各受け板部１４Ｄと対向状をなしていて各受け板部１４Ｄとの間で第１光学部材１５Ａの外端部を挟持する内枠部１６Ａと、内枠部１６Ａの外端から裏側に向けて突出して立板部１４Ｅの外面と対向する外枠部１６Ｂと、から構成される。内枠部１６Ａは、第１光学部材１５Ａを構成する第２拡散板２１の外端部を受け板部１４Ｄ側とは反対側から押さえる。内枠部１６Ａは、液晶パネル１１及び第２光学部材１５Ｂの外端部をベゼル１３との間で挟持する。内枠部１６Ａの大部分は、液晶パネル１１の非表示領域ＮＡＡに配されているものの、内枠部１６Ａの内周縁側の端部は、液晶パネル１１の表示領域ＡＡに入り込んでいる。つまり、内枠部１６Ａは、非表示領域ＮＡＡと表示領域ＡＡとに跨って配されている。なお、内枠部１６Ａは、シャーシ１４の受け板部１４Ｄより表示領域ＡＡ側に突き出している。
【００１９】
次に、ＬＥＤ１７及びＬＥＤ１７が実装されるＬＥＤ基板１８について説明する。ＬＥＤ１７は、図２及び図３に示すように、ＬＥＤ基板１８上に表面実装されるとともにその発光面１７ＡがＬＥＤ基板１８側とは反対側を向いた、いわゆる頂面発光型（トップビュー型）とされており、その光軸がＺ軸方向、つまり液晶パネル１１の表示面（光学部材１５の板面）に対する法線方向と一致している。ここで言う「光軸」とは、ＬＥＤ１７における発光光のうち、発光強度が最も高い（ピークとなる）光の進行方向と一致する軸のことである。詳しくは、ＬＥＤ１７は、発光源として青色光を発する青色ＬＥＤ素子（青色発光素子）を封止材によってケース内に封止してなり、封止材には、青色ＬＥＤ素子からの青色光により励起されて赤色光を発する赤色蛍光体（図示せず）が含有されている。従って、ＬＥＤ１７は、青色ＬＥＤ素子から発せられる青色光（青色成分の光）と、青色ＬＥＤ素子の青色光により励起されて赤色蛍光体から発せられる赤色光（赤色成分の光）との混色により、全体としてマゼンダ色光を発することが可能とされている。そして、ＬＥＤ１７から発せられたマゼンダ色光は、その一部が詳しくは後述する波長変換シート２２によって緑色光に波長変換されるようになっている。従って、バックライト装置１２の出射光は、波長変換シート２２により波長変換された緑色光と、ＬＥＤ１７のマゼンダ色光と、の加法混色により概ね白色を呈するものとされる。ＬＥＤ１７に備わる青色ＬＥＤ素子は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。この青色ＬＥＤ素子は、図示しないリードフレームによってケース外に配されたＬＥＤ基板１８における配線パターンに接続される。また、赤色蛍光体は、青色ＬＥＤ素子の青色光を励起光として、赤色に属する波長領域（約６００ｎｍ〜約７８０ｎｍ）の光、つまり赤色光を蛍光光として発する。
【００２０】
ＬＥＤ基板１８は、図２及び図３に示すように、平面に視て方形状をなしており、シャーシ１４内において底板部１４Ａの表側に重なる形で収容されている。ＬＥＤ基板１８の表側の板面（光学部材１５側を向いた板面）には、上記した構成のＬＥＤ１７が表面実装されており、ここが実装面１８Ａとされる。ＬＥＤ１７は、ＬＥＤ基板１８の実装面１８Ａの面内においてＸ軸方向及びＹ軸方向に沿って複数ずつ行列状（マトリクス状、碁盤目状）に並列して配されるとともに、実装面１８Ａの面内に配索形成された配線パターンによって相互が電気的に接続されている。ＬＥＤ基板１８における各ＬＥＤ１７の配列ピッチは、ほぼ一定とされ、詳しくはＸ軸方向（行方向）及びＹ軸方向（列方向）についてそれぞれほぼ等間隔に配列されている。ＬＥＤ基板１８は、底板部１４Ａ上においてＸ軸方向及びＹ軸方向に沿って複数ずつ並ぶ形で配されている。また、ＬＥＤ基板１８は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。なお、ＬＥＤ基板１８に用いる材料としては、セラミックなどの絶縁材料を用いることも可能である。また、ＬＥＤ基板１８には、図示しない配線部材が接続されるコネクタ部が設けられており、配線部材を介して図示しないＬＥＤ駆動基板（光源駆動基板）から駆動電力が供給されるようになっている。
【００２１】
反射シート１９は、合成樹脂製とされ、表面が光の反射性に優れた白色を呈している。反射シート１９は、その表面にて特定の波長の光を吸収することがなく、全ての可視光線を乱反射するものとされており、全域にわたって光の反射率がほぼ一定とされている。反射シート１９は、図２及び図３に示すように、シャーシ１４の内面のほぼ全域にわたって敷設される大きさを有しているので、シャーシ１４内に配されたＬＥＤ基板１８をほぼ全域にわたって表側（光出射側、光学部材１５側）から覆うことが可能とされる。この反射シート１９によりシャーシ１４内の光を表側（光出射側、光学部材１５側）に向けて反射させることができる。反射シート１９は、ＬＥＤ基板１８（底板部１４Ａ）に沿って延在するとともに各ＬＥＤ基板１８を一括してそのほぼ全域を覆う大きさの底側反射部１９Ａと、底側反射部１９Ａの各外端から表側に立ち上がるとともに底側反射部１９Ａに対して傾斜状をなす４つの傾斜反射部１９Ｂと、各傾斜反射部１９Ｂの外端から外向きに延出するとともにシャーシ１４の受け板部１４Ｄに載せられる延出部１９Ｃとから構成されている。この反射シート１９の底側反射部１９Ａが各ＬＥＤ基板１８における表側の面、つまりＬＥＤ１７の実装面１８Ａに対して表側に重なるよう配される。また、反射シート１９の底側反射部１９Ａには、各ＬＥＤ１７と平面に視て重畳する位置に各ＬＥＤ１７を個別に挿通するＬＥＤ挿通孔（光源挿通孔）１９Ｄが開口して設けられている。このＬＥＤ挿通孔１９Ｄは、各ＬＥＤ１７の配置に対応してＸ軸方向及びＹ軸方向について行列状（マトリクス状）に複数が並列配置されている。なお、フレーム１６の内枠部１６Ａは、延出部１９Ｃより内側（表示領域ＡＡ側）に突き出した形となっている。延出部１９Ｃは、平面に視て内枠部１６Ａにより全域が覆われた状態となっている。
【００２２】
次に、波長変換シート２２に関して詳しく説明する。波長変換シート２２は、図２に示すように、液晶パネル１１等と同様、平面視矩形状をなしており、第１光学部材１５の各拡散板２０，２１と略同等の大きさである。つまり、波長変換シート２２は、平面に視た大きさが液晶パネル１１の表示領域ＡＡより大きく設定されている。波長変換シート２２は、各拡散板２０，２１より厚みの小さい（薄い）シート状とされる。具体的には、各拡散板２０，２１の厚みは、例えば１．５ｍｍ〜２ｍｍ程度とされるのに対し、波長変換シート２２の厚みは、例えば２００μｍ〜４００μｍ程度とされる。このため、波長変換シート２２は、機械的な剛性や強度が各拡散板２０，２１より低くなっている。波長変換シート２２は、ＬＥＤ１７からの光を波長変換するための蛍光体（波長変換物質）を含有する蛍光体層（波長変換層）と、蛍光体層を表裏から挟み込んでこれを保護する一対の保護層と、から構成されている。蛍光体層には、ＬＥＤ１７からのマゼンダ色光に含まれる青色光を励起光として、緑色光（約５００ｎｍ〜約５７０ｎｍの波長領域）を発する緑色蛍光体が分散配合されている。これにより、バックライト装置１２の出射光は、ＬＥＤ１７から発せられる青色光及び赤色光と、波長変換シート２２に含まれる緑色蛍光体により波長変換される緑色光と、を含むことになり、全体として白色光となる。このような緑色蛍光体としては、比較的シャープな発光スペクトルを有するものが好ましく、例えば、「ＳｒＧａ２Ｓ４：Ｅｕ２＋」等の硫化物蛍光体が用いられる。
【００２３】
上記した波長変換シート２２は、各拡散板２０，２１に比べると剛性が低いため、例えば外力が作用すると歪みや皺などの局所的な変形が生じるおそれがある。また、発光に伴ってＬＥＤ１７などから生じる熱によって伸縮しても同様の局所的な変形が生じるおそれがある。波長変換シート２２に上記のような局所的な変形が生じると、出射光に色ムラなどが生じ、液晶パネル１１に表示不良が生じることが懸念される。また、波長変換シート２２は、他の光学シートに比べると吸湿し易くなっており、吸湿に伴って波長変換シート２２に含有される蛍光体（硫化物蛍光体）が変性してしまい、波長変換性能が劣化することが懸念される。波長変換シート２２の波長変換性能が劣化すると、出射光に色ムラなどが生じ、結果として液晶パネル１１に表示不良が生じるおそれがある。
【００２４】
そこで、本実施形態に係るバックライト装置１２では、図４に示すように、波長変換シート２２が第１拡散板２０と第２拡散板２１との間に挟み込まれている。波長変換シート２２は、相対的に高い剛性を有する第１拡散板２０と第２拡散板２１との間に挟み込まれているから、外力が作用した場合でも波長変換シート２２に歪みや皺などの局所的な変形が生じ難くなるとともに、熱膨張や熱収縮に伴う局所的な変形も生じ難くなる。さらには、第１拡散板２０と第２拡散板２１との間に挟み込まれた波長変換シート２２は、外部に露出する面積が極めて小さくなるので、外気に含まれる水分を吸収する事態が生じ難くなる。以上により、波長変換シート２２の変形や吸湿の発生が好適に抑制されるので、波長変換シート２２の透過光を利用して液晶パネル１１の表示面１１ＤＳに表示される画像（テレビ画像を含む）に色ムラなどが生じ難くなり、もって優れた表示品位が得られる。
【００２５】
波長変換シート２２に対して裏側（ＬＥＤ１７側）に重なる第１拡散板２０は、図５に示すように、その板面に沿うＸ軸方向（第１方向）に沿って延在し、板面に沿い且つＸ軸方向と直交するＹ軸方向（第２方向）に沿って並んで配される複数の第１シリンドリカルレンズ２５Ａからなる第１レンチキュラーレンズ２５を有する。第１レンチキュラーレンズ２５は、第１拡散板２０を構成する平板状の第１基材２０Ａにおける表側の板面に設けられている。第１シリンドリカルレンズ２５Ａは、軸線方向がＸ軸方向と一致した略半円柱状をなしており、その表側（波長変換シート２２側）を向いた表面が円弧状をなす凸型の第１円弧状面２５Ａ１とされる。第１シリンドリカルレンズ２５Ａは、その軸線方向（延在方向、第１方向）と直交する並び方向（第２方向）に沿って切断した断面形状が略半円形状をなしている。Ｙ軸方向に沿って並列した多数本の第１シリンドリカルレンズ２５Ａは、底面の幅寸法及び高さ寸法が全てほぼ同一とされており、隣り合う第１シリンドリカルレンズ２５Ａ間の配列間隔もほぼ一定で等間隔に配列されている。このようにすれば、第１拡散板２０に入射した光には、拡散粒子により拡散作用が付与されるのに加えて、第１レンチキュラーレンズ２５によって複数の第１シリンドリカルレンズ２５Ａの並び方向であるＹ軸方向について選択的に集光作用が付与される。その一方、第１拡散板２０に入射した光が第１レンチキュラーレンズ２５を構成する第１シリンドリカルレンズ２５Ａの表面である第１円弧状面２５Ａ１に達すると、その第１円弧状面２５Ａ１にて反射されてＬＥＤ１７側に戻される場合があり、その反射光はＬＥＤ１７側で反射シート１９などにより反射されて再び第１拡散板２０に入射することになる。ここで、仮に波長変換シートが第１拡散板２０に対してＬＥＤ１７側に配された場合には、第１拡散板２０による反射光が波長変換シート２２を繰り返し透過するため、光が過剰に波長変換されて色ムラが生じるおそれがある。その点、波長変換シート２２は、第１拡散板２０に対してＬＥＤ１７側とは反対側に配されているから、第１拡散板２０による反射光が波長変換シート２２を繰り返し透過ことが避けられ、もってＬＥＤ１７の光が波長変換シート２２によって過剰に波長変換されることに起因する色ムラの発生が生じ難くなる。なお、第１拡散板２０は、各第１シリンドリカルレンズ２５Ａの表面が波長変換シート２２における裏側の板面に対して線接触している。
【００２６】
波長変換シート２２に対して表側（ＬＥＤ１７側とは反対側）に重なる第２拡散板２１は、図５に示すように、Ｙ軸方向（第２方向）に沿って延在し、Ｘ軸方向（第１方向）に沿って並んで配される複数の第２シリンドリカルレンズ２６Ａからなる第２レンチキュラーレンズ２６を有する。第２レンチキュラーレンズ２６は、第２拡散板２１を構成する平板状の第２基材２１Ａにおける表側の板面に設けられている。第２シリンドリカルレンズ２６Ａは、軸線方向がＹ軸方向と一致した略半円柱状をなしており、その表側（波長変換シート２２側とは反対側）を向いた表面が円弧状をなす凸型の第２円弧状面２６Ａ１とされる。第２シリンドリカルレンズ２６Ａは、その軸線方向（延在方向、第２方向）と直交する並び方向（第１方向）に沿って切断した断面形状が略半円形状をなしている。Ｘ軸方向に沿って並列した多数本の第２シリンドリカルレンズ２６Ａは、底面の幅寸法及び高さ寸法が全てほぼ同一とされており、隣り合う第２シリンドリカルレンズ２６Ａ間の配列間隔もほぼ一定で等間隔に配列されている。このようにすれば、第２拡散板２１に入射した光には、拡散粒子により拡散作用が付与されるのに加えて、第２レンチキュラーレンズ２６によって複数の第２シリンドリカルレンズ２６Ａの並び方向であるＸ軸方向について選択的に集光作用が付与される。従って、当該バックライト装置１２の出射光には、第１拡散板２０によりＹ軸方向について選択的に集光作用が付与されるのに加えて、第２拡散板２１によりＸ軸方向について選択的に集光作用が付与されることになるから、バックライト装置１２の出射光に係る正面輝度が高いものとなる。なお、第２拡散板２１は、第２基材２１Ａにおける裏側の板面が波長変換シート２２における表側の板面に対して面接触している。
【００２７】
波長変換シート２２は、図４に示すように、その外端部がシャーシ１４の受け板部１４Ｄとフレーム１６との間に、第１拡散板２０及び第２拡散板２１の各外端部を介して挟み込まれている。詳しくは、波長変換シート２２は、既述した通り、平面に視た大きさが第１拡散板２０及び第２拡散板２１の同大きさと同等とされており、その外周端面が第１拡散板２０及び第２拡散板２１の外周端面とほぼ面一状に揃えられているので、外周端部が第１拡散板２０及び第２拡散板２１の外周端部と重畳配置されている。このようにすれば、受け板部１４Ｄとフレーム１６との間には、波長変換シート２２の外端部が第１拡散板２０及び第２拡散板２１の各外端部を介して挟み込まれる。従って、第１拡散板２０の外端部を出射した光が波長変換シート２２の外端部を透過して波長変換される確実性が高くなるので、仮に波長変換シートの外端部が第１拡散板２０及び第２拡散板２１の各外端部より内側に引っ込む配置とされる場合に比べると、バックライト装置１２の外端部付近にてＬＥＤ１７の光が波長変換されずに外部に出射する事態が生じ難くなる。これにより、バックライト装置１２における外端部付近の出射光に色ムラが生じ難くなる。
【００２８】
反射シート１９のうち、少なくとも各傾斜反射部１９Ｂには、図４に示すように、ＬＥＤ１７の発光面１７Ａから発せられた光と同色、又はその光を構成する各原色光と同色を呈する呈色部２７が設けられている。呈色部２７は、反射シート１９との比較においてＬＥＤ１７の光の色味に近い色味を呈する。詳しくは、白色を呈する反射シート１９に対し、呈色部２７は、ＬＥＤ１７の光の色味、つまりマゼンダ色味を呈するものとされる。呈色部２７は、反射シート１９の表面にマゼンダ色を呈する塗料（顔料または染料を含む）を公知の塗工技術（例えば、印刷技術）などを用いて塗布して形成される塗膜からなる。呈色部２７は、ＬＥＤ１７の発光面１７Ａから発せられた光（マゼンタ色光）の色と補色の関係にある色の光（緑色光）の吸収率が、発光面１７Ａから発せられた光（マゼンタ色光（青色光、赤色光））の吸収率よりも高くなっている。また、呈色部２７は、ＬＥＤ１７の発光面１７Ａから発せられた光（マゼンタ色光（青色光、赤色光））の反射率が、発光面１７Ａから発せられた光と補色の関係にある色の光（緑色光）の反射率よりも高くなっている。つまり、呈色部２７は、緑色光を吸収して、マゼンタ色光（青色光、赤色光）を反射する機能を備えている。これにより、呈色部２７で反射された光（例えば、白色の戻り光）は、呈色部２７が設けられていない白色の部分（反射シート１９）で反射された場合と比べて、マゼンタ色を帯びることになる。
【００２９】
呈色部２７は、図３に示すように、平面視で円形をなしており、各傾斜反射部１９Ｂの略全域に分散形成されている。なお、隣り合った呈色部２７の間からは、白色を呈する反射シート１９の表面が露出している。各傾斜反射部１９Ｂの表面に配された各呈色部２７は、底側反射部１９Ａ側から外側（延出部１９Ｃ）に向かうにつれて、サイズ（大きさ）が大きくなるように設定されている。つまり、各呈色部２７は、底側反射部１９Ａ側から外側（延出部１９Ｃ）に向かうにつれて、単位面積当たりの密度が高くなるように設定されている。本実施形態の場合、各呈色部２７の濃度（色の濃さ）は、同じに設定されている。また、各呈色部２７は、傾斜反射部１９Ｂと底側反射部１９Ａとの境界線が延びる方向においては、等間隔で配設されている。各呈色部２７は、全体的には、傾斜反射部１９Ｂの表面上に全面的に拡がるように形成されている。
【００３０】
呈色部２７は、図３及び図４に示すように、傾斜反射部１９Ｂに加えて底側反射部１９Ａにも設けられている。底側反射部１９Ａに設けられる呈色部２７は、底側反射部１９Ａに供給される一次光と二次光との割合を調整等することを目的としており、底側反射部１９Ａの表面上において、均等に分布するように行列状に配設されている。底側反射部１９Ａに設けられた各呈色部２７の大きさは、略同じである。また、底側反射部１９Ａに設けられた呈色部２７の濃度（色の濃さ）は、各傾斜反射部１９Ｂに設けられた呈色部２７と同様である。但し、底側反射部１９Ａ側は、各傾斜反射部１９Ｂ側と比べて、ＬＥＤ１７からの光（一次光）が十分供給されるため、単位面積当たりの密度については、底側反射部１９Ａ側の呈色部２７の方が、各傾斜反射部１９Ｂ側の呈色部２７よりも小さく設定されている。なお、底側反射部１９Ａの最も外側に配設される呈色部２７は、製造設備上の都合で、それよりも内側に配設される呈色部２７と比べて、サイズが小さくされている。
【００３１】
また、呈色部２７は、図３及び図４に示すように、底側反射部１９Ａ及び傾斜反射部１９Ｂに加えて延出部１９Ｃにも設けられている。つまり、呈色部２７は、反射シート１９の全域にわたって分散配置されている。延出部１９Ｃに設けられた呈色部２７は、延出部１９Ｃの表面上において、均等に配列しつつ、全体として、底側反射部１９Ａ及び傾斜反射部１９Ｂを取り囲む枠状をなす形で、配設されている。延出部１９Ｃに設けられた各呈色部２７の大きさは、略同じである。
【００３２】
以上のようなバックライト装置１２を備えた液晶表示装置１０の電源が投入されると、図示されないコントロール基板から出力される各種信号が液晶パネル１１に伝送され、液晶パネル１１の表示が制御されると共に、図示されないＬＥＤ駆動基板によりＬＥＤ基板１８上のＬＥＤ１７の点灯駆動が制御される。ＬＥＤ１７の発光面１７Ａから発せられた光は、光学部材１５にて所定の光学作用が付された後、最終的に、液晶パネル１１側に向かう光となる。このような光を利用することで、液晶パネル１１の表示領域ＡＡに、視認可能な画像が表示される。
【００３３】
ここで、バックライト装置１２における光学部材１５及び波長変換シート２２での光学作用について詳細に説明する。ＬＥＤ１７の発光面１７Ａからは、図４に示すように、青色光と赤色光からなるマゼンタ色光が一次光として出射される。ＬＥＤ１７からの一次光は、第１光学部材１５Ａを構成する第１拡散板２０に含有される拡散粒子により拡散作用が付与されるのに加えて第１レンチキュラーレンズ２５によりＹ軸方向について選択的に集光作用が付与された後、その一部は、第１拡散板２０上の波長変換シート２２に入射する。波長変換シート２２に入射した一次光のうち、青色光の一部は、波長変換シート２２中の緑色蛍光体により波長変換されて緑色光（二次光）となって放出される。波長変換シート２２からは、緑色光と共に、波長変換されずに透過した青色光や赤色光が出射される。このように、波長変換シート２２からは、ＬＥＤ１７からの一次光（青色光、赤色光）と、波長変換後に得られた二次光（緑色光）と、が出射されることで、白色光が形成される。波長変換シート２２の出射光は、第２拡散板２１に入射し、第２拡散板２１に含有される拡散粒子により拡散作用が付与されるのに加えて第２レンチキュラーレンズ２６によりＸ軸方向について選択的に集光作用が付与される。
【００３４】
なお、波長変換シート２２から出射された一次光（青色光、赤色光）と、二次光（緑色光）と、は、図４に示すように、第２光学部材１５Ｂを構成するプリズムシート２３に入射して集光作用が付与され、その後、反射型偏光シート２４において、特定の偏光光（ｐ波）が選択的に透過されて液晶パネル１１に向かい、それとは異なる特定の偏光光（ｓ波）が選択的に裏側へ反射される。反射型偏光シート２４にて反射されたｓ波の光、プリズムシート２３で集光作用を付与されずに裏側に向けて反射された光、更には各拡散板２０，２１にて裏側に向けて反射された光等は、反射シート１９で反射されて再び表側に向けて進行することになる。
【００３５】
次いで、反射シート１９及び呈色部２７等の光学作用について詳細に説明する。反射シート１９は、図４に示すように、直接、光学部材１５側に向かわないＬＥＤ１７からの一次光（青色光及び赤色光からなるマゼンタ色光）や、光学部材１５等により裏側へ戻された光（一次光及び二次光）を、表側に向けて反射する。反射シート１９において、傾斜反射部１９Ｂには、底側反射部１９Ａよりも、単位面積当たりの密度が高くなるように、呈色部２７が形成されている。そのため、傾斜反射部１９Ｂ側に供給される一次光の量が、底側反射部１９Ａ側に供給される一次光の量よりも少なくても、傾斜反射部１９Ｂ側では、呈色部２７が多くの一次光（マゼンタ色光）を反射するため、傾斜反射部１９Ｂ側での反射光と、底側反射部１９Ａ側での反射光との間に、色の差が生じることが抑制されている。
【００３６】
より詳しくは、傾斜反射部１９Ｂは、図４に示すように、底側反射部１９Ａに比べると、光学部材１５を構成する第１光学部材１５Ａとの間の距離が短くなっているため、傾斜反射部１９Ｂと第１光学部材１５Ａとの間で多重反射が生じ易くなっていることから、第１光学部材１５Ａに含まれる波長変換シート２２による光の波長変換効率が局所的に高くなることが懸念される。特に、傾斜反射部１９Ｂと第１光学部材１５Ａとの間の距離は、底側反射部１９Ａから外側に向かう（離れる）ほど短くなる傾向であるため、多重反射光が波長変換シート２２を透過する回数は、底側反射部１９Ａから外側に向かうほど多くなる。その点、傾斜反射部１９Ｂに設けられる呈色部２７は、底側反射部１９Ａに設けられる呈色部２７より単位面積当たりの密度が高くなっているから、傾斜反射部１９Ｂ側に波長変換シート２２により波長変換された二次光（緑色光）が多く供給されても、傾斜反射部１９Ｂ側では、呈色部２７が多くの二次光（緑色光）を吸収するため、傾斜反射部１９Ｂ側での反射光と底側反射部１９Ａ側での反射光との間に、色の差が生じることが抑制されている。しかも、傾斜反射部１９Ｂにおいて呈色部２７は、底側反射部１９Ａ側から外側に向かうにつれて単位面積当たりの密度が高くなっているから、波長変換シート２２を透過する回数が多い多重反射光ほど強い呈色作用が付与され、二次光の吸収量がより多くなる。これにより、多重反射光に色ムラがより生じ難くなっている。
【００３７】
ところで、図４に示すように、第１拡散板２０に入射した光が第１レンチキュラーレンズ２５を構成する第１シリンドリカルレンズ２５Ａの表面に達すると、その表面にて反射されてＬＥＤ１７側に戻される場合があり、その反射光はＬＥＤ１７側で反射されて再び第１拡散板２０に入射することになる。ここで、仮に波長変換シートが第１拡散板２０に対してＬＥＤ１７側に配された場合には、第１拡散板２０による反射光が波長変換シート２２を繰り返し透過するため、光が過剰に波長変換されて色ムラが生じるおそれがある。その点、波長変換シート２２は、第１拡散板２０に対してＬＥＤ１７側とは反対側に配されているから、第１拡散板２０による反射光が波長変換シート２２を繰り返し透過ことが避けられ、もってＬＥＤ１７の光が波長変換シート２２によって過剰に波長変換されることに起因する色ムラの発生が生じ難くなる。
【００３８】
このようなバックライト装置１２では、波長変換シート２２の画面中央側（表示領域ＡＡの中央側）と画面周縁側（表示領域ＡＡの周縁側）とにそれぞれ供給される一次光の量等が均質化され、その結果、バックライト装置１２から出射される出射光の色が均質化され、色ムラが抑制される。
【００３９】
以上説明したように本実施形態のバックライト装置（照明装置）１２は、光を発する発光面１７Ａを有するＬＥＤ（光源）１７と、発光面１７Ａと対向するよう配され、発光面１７Ａから発せられた光に拡散作用を付与する第１拡散板２０と、第１拡散板２０に対してＬＥＤ１７側とは反対側に重なる状態で配され、発光面１７Ａから発せられた光に拡散作用を付与する第２拡散板２１と、発光面１７Ａから発せられた光を波長変換する蛍光体を含む波長変換シート２２であって、第１拡散板２０と第２拡散板２１との間に挟み込まれる波長変換シート２２と、を備える。
【００４０】
このようにすれば、ＬＥＤ１７の発光面１７Ａから発せられた光は、第１拡散板２０を透過する際に少なくとも拡散作用が付与され、その後波長変換シート２２を透過する際に波長変換され、さらにその後第２拡散板２１を透過する際に再び少なくとも拡散作用が付与される。波長変換シート２２は、相対的に高い剛性を有する第１拡散板２０と第２拡散板２１との間に挟み込まれているから、外力が作用した場合でも波長変換シート２２に歪みや皺などの局所的な変形が生じ難くなるとともに、熱膨張や熱収縮に伴う局所的な変形も生じ難くなる。さらには、第１拡散板２０と第２拡散板２１との間に挟み込まれた波長変換シート２２は、外部に露出する面積が極めて小さくなるので、外気に含まれる水分を吸収する事態が生じ難くなる。以上により、波長変換シート２２の変形や吸湿の発生が好適に抑制される。
【００４１】
また、第１拡散板２０は、その板面に沿う第１方向に沿って延在し、板面に沿い且つ第１方向と直交する第２方向に沿って並んで配される複数の第１シリンドリカルレンズ２５Ａからなる第１レンチキュラーレンズ２５を有する。このようにすれば、第１拡散板２０に入射した光には、第１レンチキュラーレンズ２５によって複数の第１シリンドリカルレンズ２５Ａの並び方向である第２方向について選択的に集光作用が付与される。その一方、第１拡散板２０に入射した光が第１レンチキュラーレンズ２５を構成する第１シリンドリカルレンズ２５Ａの表面に達すると、その表面にて反射されてＬＥＤ１７側に戻される場合があり、その反射光はＬＥＤ１７側で反射されて再び第１拡散板２０に入射することになる。ここで、仮に波長変換シートが第１拡散板２０に対してＬＥＤ１７側に配された場合には、第１拡散板２０による反射光が波長変換シート２２を繰り返し透過するため、光が過剰に波長変換されて色ムラが生じるおそれがある。その点、波長変換シート２２は、第１拡散板２０に対してＬＥＤ１７側とは反対側に配されているから、第１拡散板２０による反射光が波長変換シート２２を繰り返し透過ことが避けられ、もってＬＥＤ１７の光が波長変換シート２２によって過剰に波長変換されることに起因する色ムラの発生が生じ難くなる。
【００４２】
また、第２拡散板２１は、第２方向に沿って延在し、第１方向に沿って並んで配される複数の第２シリンドリカルレンズ２６Ａからなる第２レンチキュラーレンズ２６を有する。このようにすれば、第２拡散板２１に入射した光には、第２レンチキュラーレンズ２６によって複数の第２シリンドリカルレンズ２６Ａの並び方向である第１方向について選択的に集光作用が付与される。従って、当該バックライト装置１２の出射光には、第１拡散板２０により第２方向について選択的に集光作用が付与されるのに加えて、第２拡散板２１により第１方向について選択的に集光作用が付与されることになるから、当該バックライト装置１２の出射光に係る正面輝度が高いものとなる。
【００４３】
また、ＬＥＤ１７に対して発光面１７Ａ側とは反対側に配される底板部（底部）１４Ａと、底板部１４Ａの外端部に連ねられて第１拡散板２０の外端部を支持する受け板部（拡散板支持部）１４Ｄと、を有していてＬＥＤ１７を収容するシャーシ１４と、第２拡散板２１の外端部を受け板部１４Ｄ側とは反対側から押さえるフレーム（拡散板押さえ部材）１６と、を備えており、波長変換シート２２は、その外端部が受け板部１４Ｄとフレーム１６との間に、第１拡散板２０及び第２拡散板２１の各外端部を介して挟み込まれる。このようにすれば、ＬＥＤ１７を収容するシャーシ１４は、底板部１４Ａの外端部に連ねられる受け板部１４Ｄが第１拡散板２０の外端部を支持する。フレーム１６は、第２拡散板２１の外端部を受け板部１４Ｄ側とは反対側から押さえる。そして、受け板部１４Ｄとフレーム１６との間には、波長変換シート２２の外端部が第１拡散板２０及び第２拡散板２１の各外端部を介して挟み込まれる。従って、第１拡散板２０の外端部を出射した光が波長変換シート２２の外端部を透過して波長変換される確実性が高くなるので、仮に波長変換シートの外端部が第１拡散板２０及び第２拡散板２１の各外端部より内側に引っ込む配置とされる場合に比べると、当該バックライト装置１２の外端部付近にてＬＥＤ１７の光が波長変換されずに外部に出射する事態が生じ難くなり、もって外端部付近の出射光に色ムラが生じ難くなる。
【００４４】
また、ＬＥＤ１７に対して発光面１７Ａ側とは反対側に配される底板部１４Ａを有していてＬＥＤ１７を収容するシャーシ１４と、発光面１７Ａから発せられた光を第１拡散板２０側へ反射する反射シート１９であって、ＬＥＤ１７を露出させつつ底板部１４Ａを覆う底側反射部１９Ａと、底側反射部１９Ａから外側に傾斜しつつ第１拡散板２０側に向かって立ち上がる傾斜反射部１９Ｂと、を少なくとも有する反射シート１９と、各々が発光面１７Ａから発せられた光と同色、又はその光を構成する各原色光と同色を呈していて少なくとも傾斜反射部１９Ｂの表面上に配される複数のドット状の呈色部２７と、を備える。このようにすれば、シャーシ１４内に収容されたＬＥＤ１７の発光面１７Ａから発せられた光は、反射シート１９の底側反射部１９Ａ及び傾斜反射部１９Ｂによって第１拡散板２０側へ反射される。第１拡散板２０や第２拡散板２１に達した光には、反射シート１９側へ反射されるものも少なからず含まれている。ここで、反射シート１９のうち、傾斜反射部１９Ｂは、各拡散板２０，２１との間の距離が底側反射部１９Ａに比べて短いため、各拡散板２０，２１との間で光の多重反射が生じ易くなっている。この多重反射光は、その過程で波長変換シート２２を繰り返し透過することで波長変換が過度になされてしまい、結果として色ムラが生じることが懸念される。その点、反射シート１９の傾斜反射部１９Ｂの表面上には、ＬＥＤ１７の発光面１７Ａから発せられた光と同色、又はその光を構成する各原色光と同色を呈する呈色部２７が配されているから、上記のように各拡散板２０，２１と傾斜反射部１９Ｂとの間で多重反射する光には、呈色部２７による呈色作用が付与され、呈色作用を受けない光に比べると、ＬＥＤ１７の光の色味に近い色味を帯びることになる。従って、多重反射光に色ムラが生じ難くなる。しかも、呈色部２７は、複数のドット状とされているから、傾斜反射部１９Ｂにおける分布密度や色の濃度などを細やかに調整することができ、色ムラを抑制するのに好適となっている。
【００４５】
また、呈色部２７は、底側反射部１９Ａ側から外側に向かうにつれて単位面積当たりの密度又は色の濃度が高くなる。傾斜反射部１９Ｂと各拡散板２０，２１との間の距離は、底側反射部１９Ａ側から外側に向かうほど短くなるため、多重反射光が波長変換シート２２を透過する回数は、底側反射部１９Ａ側から外側に向かうほど多くなる。これに対し、呈色部２７は、底側反射部１９Ａ側から外側に向かうにつれて単位面積当たりの密度又は色の濃度が高くなっているから、波長変換シート２２を透過する回数が多い多重反射光ほど強い呈色作用が付与されることになる。これにより、多重反射光に色ムラがより生じ難くなる。
【００４６】
また、ＬＥＤ１７は、発光面１７Ａから青色光と赤色光とを含むマゼンタ色光を発し、波長変換シート２２は、蛍光体として、青色光を緑色光に波長変換する緑色蛍光体を含む。このようにすれば、ＬＥＤ１７の発光面１７Ａから発せられたマゼンダ色光には、青色光と赤色光とが含まれているから、波長変換シート２２を透過する際には、マゼンダ色光に含まれる青色光が緑色光に波長変換される。これにより、当該バックライト装置１２の出射光には、青色光、緑色光及び赤色光が含まれ、全体として白色光となる。
【００４７】
また、本実施形態に係る液晶表示装置（表示装置）１０は、上記記載のバックライト装置１２と、バックライト装置１２から照射される光を利用して画像を表示する液晶パネル（表示パネル）１１と、を備える。このような液晶表示装置１０によれば、バックライト装置１２に備わる波長変換シート２２の変形や吸湿が抑制されているから、色ムラなどが抑制された優れた表示品位が得られる。
【００４８】
また、本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００４９】
＜実施形態２＞
本発明の実施形態２を図６によって説明する。この実施形態２では、第１拡散板１２０及び第２拡散板１２１の構成を変更したものを示す。なお、上記した実施形態１と同様の構造、作用及び効果について重複する説明は省略する。
【００５０】
本実施形態に係る第１拡散板１２０及び第２拡散板１２１は、図６に示すように、共に平板状をなしている。つまり、第１拡散板１２０及び第２拡散板１２１は、上記した実施形態１に記載したようなレンチキュラーレンズ２５，２６（図５を参照）を有さない構成とされる。このような構成の第１拡散板１２０及び第２拡散板１２１は、波長変換シート１２２を表裏両側から面接触する形で挟持するので、波長変換シート１２２に局所的な変形がより生じ難いものとなる。
【００５１】
＜他の実施形態＞
本発明は上記記述及び図面によって説明した実施形態に限定されるものではなく、例えば次のような実施形態も本発明の技術的範囲に含まれる。
（１）上記した実施形態１以外にも、第１拡散板の第１レンチキュラーレンズを構成する第１シリンドリカルレンズの延在方向がＹ軸方向と、並び方向がＸ軸方向と、それぞれ一致し、第２拡散板の第２レンチキュラーレンズを構成する第２シリンドリカルレンズの延在方向がＸ軸方向と、並び方向がＹ軸方向と、それぞれ一致する構成であっても構わない。
（２）上記した各実施形態では、第１光学部材と第２光学部材との間にフレームの内枠部が介在する構成を示したが、第１光学部材に対して表側に第２光学部材が直接載置されていても構わない。また、第２光学部材に含まれる光学シートの具体的な種類・枚数・積層順などは適宜に変更可能である。
（３）上記した各実施形態では、第１光学部材が２枚の拡散板を有する構成を示したが、第１光学部材が３枚以上の拡散板を有する構成であっても構わない。その場合、２枚以上の拡散板が波長変換シートに対して表側と裏側とのいずれか一方のみに配されていても構わないが、２枚以上の拡散板が波長変換シートに対して表側と裏側との両方に配されていても構わない。なお、２枚以上の拡散板を波長変換シートに対して裏側にのみ選択的に配置し、波長変換シートに対して表側には拡散板が１枚のみ配される構成を採れば、波長変換シートに対して表側に配される１枚の拡散板（第１拡散板）による反射光量が、波長変換シートに対して裏側に配される２枚以上の拡散板（第２拡散板）による反射光量より少なくなるので、波長変換シートを透過する反射光量が少なくなり、もって色ムラの発生を抑制する上で好ましい。
（４）上記した各実施形態では、ＬＥＤの発光面と第１拡散板の裏側の板面とが直接対向配置される場合を示したが、ＬＥＤの発光面と第１拡散板の裏側の板面との間に他の部材が介在していても構わない。
（５）上記した各実施形態では、反射シートの傾斜反射部に設けられた呈色部における平面に視たサイズ（大きさ）を底側反射部からの距離に応じて変化させることで単位面積当たりの密度を変化させた構成を示したが、傾斜反射部に設けられた呈色部における平面に視たサイズを一定するものの、隣り合う呈色部の間の間隔（配列ピッチ）を底側反射部からの距離に応じて変化させることで、単位面積当たりの密度を変化させるようにしても構わない。また、傾斜反射部に設けられた呈色部における平面に視たサイズと、隣り合う呈色部の間の間隔と、を共に底側反射部からの距離に応じて変化させることも可能である。
（６）上記した各実施形態では、反射シートの傾斜反射部に設けられた呈色部における色の濃度を一定に保ちつつ単位面積当たりの密度を底側反射部からの距離に応じて変化させた構成を示したが、傾斜反射部に設けられた呈色部における単位面積当たりの密度を一定に保ちつつ色の濃度を底側反射部からの距離に応じて変化させることも可能である。さらには、傾斜反射部に設けられた呈色部における単位面積当たりの密度と色の濃度とを共に底側反射部からの距離に応じて変化させることも可能である。なお、傾斜反射部に設けられた呈色部における単位面積当たりの密度と色の濃度とを共に底側反射部からの距離に応じて変化させずに一定とすることも可能である。
（７）上記した各実施形態では、反射シートを構成する傾斜反射部に加えて底側反射部及び延出部にも呈色部を設けるようにした場合を示したが、底側反射部及び延出部のいずれか一方または両方に呈色部を非形成とすることも可能である。
（８）上記した各実施形態では、呈色部として塗膜からなるものを例示したが、それ以外にも、例えばＬＥＤから発せられた光と同色のセロファン等を呈色部として用いてもよい。但し、上記実施形態のように、塗膜からなる呈色部は、既存の塗工装置（印刷装置等）を使用して形成することができ、しかも形成速度が速く好ましい。
（９）上記した各実施形態では、マゼンタ色（つまり、ＬＥＤの発光面から発せられた光と同色）の呈色部を使用したが、本発明はこれに限られず、発光面から発せられた光を構成する各原色光と同色の呈色部であってもよい。例えば、ＬＥＤからの光がマゼンタ色光（青色光、赤色光）の場合、マゼンタ色光を構成する青色光（原色光の一例）と同色の呈色部（青色呈色部）と、赤色光（原色光の一例）と同色の呈色部（赤色呈色部）とを組み合わせたものを、マゼンタ色の呈色部に代わるものとして使用してもよい。
（１０）上記した各実施形態では、マゼンタ色光（青色光、赤色光）を出射するＬＥＤ（光源）を使用したが、それ以外にも、例えば青色光を一次光として出射する光源を使用し、蛍光体として、青色光を緑色光に波長変換する緑色蛍光体と、青色光を赤色光に波長変換する赤色蛍光体とを含む波長変換シートを使用してもよい。この場合、波長変換シートからは、前記蛍光体で波長変換された二次光として、緑色光と赤色光が出射され、反射シートの傾斜反射部等には、青色を呈する呈色部（青色呈色部）が形成される。また、緑色蛍光体として、例えば、ＳｒＧａ２Ｓ４：Ｅｕ２＋を使用し、赤色蛍光体として、例えば、（Ｃａ，Ｓｒ，Ｂａ）Ｓ：Ｅｕ２＋を使用してもよい。
（１１）また、他の場合としては、青色光を一次光として出射する光源を使用し、蛍光体として、青色光を黄色光に波長変換する黄色蛍光体を含む波長変換シートを使用してもよい。この場合、波長変換シートからは、前記蛍光体で波長変換された二次光として、黄色光が出射され、反射シートの傾斜反射部等には、青色を呈する呈色部（青色呈色部）が形成される。
（１２）また、他の場合としては、紫色の光を出射する光源を使用し、蛍光体として、黄色蛍光体及び緑色蛍光体を含む波長変換シートを使用してもよい。この場合、呈色部としては、紫色を呈する呈色部が利用される。
（１３）また、他の場合としては、シアン色の光を出射する光源を使用し、蛍光体として、赤色蛍光体を含む波長変換シートを使用してもよい。この場合、呈色部としては、シアン色を呈する呈色部が利用される。
（１４）上記した各実施形態では、波長変換シートの蛍光体として、硫黄化物蛍光体を使用したが、本発明はこれに限られず、例えば、量子ドット蛍光体(Quantum Dot Phosphor)を用いてもよい。量子ドット蛍光体は、ナノサイズ（例えば、直径２ｎｍ〜１０ｎｍ程度）の半導体結晶中に電子・正孔や励起子を三次元空間方位で閉じ込めることで、離散的エネルギー準位を有しており、そのドットのサイズを変えることで発光光のピーク波長（発光色）等を適宜選択することができる。なお、量子ドット蛍光体は、空気中の酸素や水分と反応して劣化し易く、また環境負荷物質であるカドミウム等を使用するため、波長変換シートの蛍光体としては、上述した硫化物蛍光体が好ましい。硫化物蛍光体は、二酸化ケイ素膜で被覆されており、また、波長変換シート中にガス吸収材を添加することで、高温高湿環境下においても、信頼性が高いと言える。
（１５）上記した各実施形態では、ドット状の呈色部として、円形状のものを使用したが、本発明のドット状の呈色部は、これらの形状に限られず、例えば、四角形、三角形状等の多角形状、楕円形状、不規則な形状等、本願発明の目的を損なわない限り、特に制限はない。
（１６）上記した各実施形態では、シャーシが金属製とされた場合を例示したが、シャーシを合成樹脂製とすることも可能である。
（１７）上記した各実施形態では、光源としてＬＥＤを用いたものを示したが、有機ＥＬなどの他の光源を用いることも可能である。
（１８）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
（１９）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
（２０）上記した各実施形態では、透過型の液晶表示装置を例示したが、それ以外にも反射型の液晶表示装置や半透過型の液晶表示装置にも本発明は適用可能である。
（２１）上記した各実施形態では、表示パネルとして液晶パネルを用いた液晶表示装置を例示したが、他の種類の表示パネルを用いた表示装置にも本発明は適用可能である。
（２２）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【００５２】
１０…液晶表示装置（表示装置）、１０ＴＶ…テレビ受信装置、１１…液晶パネル（表示パネル）、１２…バックライト装置（照明装置）、１４…シャーシ、１４Ａ…底板部（底部）、１４Ｄ…受け板部（拡散板支持部）、１６…フレーム（拡散板押さえ部材）、１７…ＬＥＤ（光源）、１７Ａ…発光面、１９…反射シート、１９Ａ…底側反射部、１９Ｂ…傾斜反射部、２０，１２０…第１拡散板、２１，１２１…第２拡散板、２２，１２２…波長変換シート、２５…第１レンチキュラーレンズ、２５Ａ…第１シリンドリカルレンズ、２６…第２レンチキュラーレンズ、２６Ａ…第２シリンドリカルレンズ、２７…呈色部
【図１】
2019046566.tif 000003
【図２】
2019046566.tif 000004
【図３】
2019046566.tif 000005
【図４】
2019046566.tif 000006
【図５】
2019046566.tif 000007
【図６】
2019046566.tif 000008